(57)【要約】【課題】透明な合成樹脂製の板材を折り曲げて形成した筒状の胴体部に対し成形製品の座材の取付けを極めて簡単に行なうことができるようにする。【解決手段】透明な合成樹脂製の板材を折り曲げて形成した筒体１と、この筒体の長辺両下縁から内方に屈曲して設けた重なり合う突出壁２と、この両突出壁に合致させて設けた貫孔３とで構成した胴体部Ａと、両端の下縁から上向きに突出して筒体の短辺両下縁に嵌め込むフック１１を有し、かつ筒体の下部に嵌入する下面開放の座材Ｂと、この座材の下面と上面とで両突出壁を挟み込む座板Ｃとからなり、座板の上面両端部から起立して上記合致した貫孔に貫通すると共に、頂壁に透孔を有する下面開放の筒状部２２を設け、座材の頂壁から下向きに突出し、透孔への嵌入により押し戻され、座材と座板による両突出壁の挟持終了下に透孔の下縁に係止関係になる爪片２４を設ける。【選択図】図１
2008273551.tif 000002
【特許請求の範囲】
【請求項１】
所定の形状に裁断した透明な合成樹脂製の板材を角筒状に折り曲げて形成した筒体と、この筒体の長辺両下縁から連なって互いに内方に屈曲して設けた重なり合う突出壁と、この両突出壁に合致させて設けた貫孔とで構成した胴体部と、両端の下縁から上向きに突出して上記筒体の短辺両下縁に嵌め込むフックを有し、かつ前記筒体の下部に嵌入する下面開放の座材と、この座材の下面と上面とで上記両突出壁を挟み込む座板とからなり、上記座板の上面両端部から起立して上記合致した貫孔に貫通すると共に、頂壁に透孔を有する下面開放の筒状部を設け、上記座材の頂壁から下向きに突出すると共に、上記透孔への嵌入にともない押し戻され、上記座材と座板による上記両突出壁の挟持終了下に上記透孔の下縁に係止関係になる爪片を設けたことを特徴とする展示ケース。
【請求項２】
前記、両突出壁に合致する貫通孔を設け、座板の上面に貫孔に対する筒状部の貫入よりも先行して上記貫通孔に貫入する突軸を設けたことを特徴とする請求項１に記載の展示ケース。
【発明の詳細な説明】
【技術分野】
【０００１】
この発明は、雑誌やビデオテープ、ＣＤ、ＤＶＤなどの記録媒体などの商品をレンタルショップの棚に陳列する際に使用する展示ケースに関する。
【背景技術】
【０００２】
音楽や映像を記録したＣＤ、ＤＶＤなどの記録媒体（ディスク）、ビデオテープ及び雑誌などは、貸出しケースに収納された状態でレンタルされる。
【０００３】
そして、上記の貸出しケースは、展示ケースに入れられてレンタルショップの陳列棚に
並べて展示する。
【０００４】
なお、レンタルに際しては、周知のように、観客によって展示ケースから貸出しケースを抜き取ってカウンターに持参して、店員によってレンタルの手続きをし、商品の購入の場合も同様に行なう。
【０００５】
上述のように、レンタルショップの陳列に使用する展示ケースとしては、所定型状に裁断した透明な合成樹脂の板材を筒状に折り曲げて形成した筒体と、この筒体の下縁開口を閉鎖するように取付ける樹脂の成形品である台座との二部品で構成したものが既に知られている（特許文献１、特許文献２）。
【特許文献１】特開２００４‐２７６９４７号公報
【特許文献２】特開２００６‐２０６８７号公報
【発明の開示】
【発明が解決しようとする課題】
【０００６】
ところで、特許文献１の展示ケースは、合成樹脂製の板材を折り曲げた筒状の胴体部と、合成樹脂製の成形品である台座とからなり、胴体部の下端内に台座の嵌入部を嵌入しながら、台座の嵌入部両端面に切り越しによって設けてあるツメを、胴体部の周面下縁部の係止穴に嵌め込んで、嵌め込みにともなう係止関係により胴体部に台座を取付けている。
なお、取付け状況下での胴体部の下縁全周を台座の外側部で受け止めている。
【０００７】
このような取付けによると、台座に対する胴体部の下縁の取付けが短辺の二辺側のみで、長辺の二辺が台座に対し遊離（不支持）している。
【０００８】
すると、台座に対する胴体部の下縁の支持が不安定になり、かりに台座側を把持した状態での胴体部に対する貸出しケースのスムーズな挿入ができない。その要因は胴体部を形成する板材の軟質による。
【０００９】
そして、長辺二辺縁の不支持にともない胴体部の内側に落し込んだジャケットシートの表面表紙及び裏側表紙の下縁が台座に受架されず落ち込む。
【００１０】
すると、胴体部内でジャケットシートが不安定になって傾き、この傾きにより挿入する貸出しケースが背表紙の上縁に当って貸出しケースの挿入を阻害する問題が発生した。
【００１１】
また、特許文献２の展示ケースの底の閉鎖は、支持部材の挿入（押し込み）によって行なうようになっている。すなわち、表壁を背壁の下縁に連なる底壁を互いに内方に屈曲させて、この両底壁の突出対向縁を挿入部材のリブを介し対向する底蓋部と筒状部との間隙（溝）に嵌入させて挟み込むようになっている。
【００１２】
このような方式の閉鎖によると、支持部材の挿入開始時点にまず上述の間隙（溝）に互いに内方に屈曲した両底壁の突出対向縁の一端を嵌入し、その後に支持部材を押し込むため、嵌入が不充分であると押し込みができない。
【００１３】
このため、押し込み開始の初期に手数がかかり、この問題を解決するために両底壁を押え込んで間隙に導くガイドが必要になり、構成の煩雑化でコストが大幅にアップする問題もあった。
【００１４】
そこで、この発明は、展示ケースを構成する筒体の底の閉鎖を極めて簡単に行なうことができるようにする。
【課題を解決するための手段】
【００１５】
上記の課題を解決するために、この発明は所定の形状に裁断した透明な合成樹脂製の板材を角筒状に折り曲げて形成した筒体と、この筒体の長辺両下縁から連なって互いに内方に屈曲して設けた重なり合う突出壁と、この両突出壁に合致させて設けた貫孔とで構成した胴体部と、両端の下縁から上向きに突出して上記筒体の短辺両下縁に嵌め込むフックを有し、かつ前記筒体の下部に嵌入する下面開放の座材と、この座材の下面と上面とで上記両突出壁を挟み込む座板とからなり、上記座板の上面両端部から起立して上記合致した貫孔に貫通すると共に、頂壁に透孔を有する下面開放の筒状部を設け、上記座材の頂壁から下向きに突出すると共に、上記透孔への嵌入にともない押し戻され、上記座材と座板による上記両突出壁の挟持終了下に上記透孔の下縁に係止関係になる爪片を設けた構成を採用する。
【００１６】
すると、座材に対する座板のドッキングによって両突出壁を挟持して、筒体の下面を閉鎖する。
【００１７】
また、両突出壁に合致する貫通孔を設け、座板の上面に貫孔に対する筒状部の貫入よりも先行して上記貫通孔に貫入する突軸を設けた構成を採用する。
【００１８】
すると、座材に対する座板のドッキングにともない、まず貫通孔に突軸が先行して貫入するので、貫孔に対する筒状部の貫入がスムーズになる。
【発明の効果】
【００１９】
以上のように、この発明の展示ケースによれば胴体部の下部内に座材を嵌め込んだのち、座材の下面に屈曲した両突出壁の合致した貫孔に筒状部を貫通させながら、透孔に嵌入した爪片と透孔の下縁とを係合関係にして座材に座板をドッキングすることで、座材と座板とで両突出壁を挟持し、この挟持にともない両突出壁の閉鎖維持を極めて簡単な作業で行なうことができると共に、貫孔に貫通している筒状部により両突出壁の外方向や内方向の移動を止めて、胴体部の底の安定した保形を維持して、変形をなくすることができる。
【００２０】
また、筒体の下部に座材を嵌入する際、筒体の短辺両下縁にフックを嵌合するので、座材に対する座板のドッキングの際座材の筒体に対する内方への移動がなく、座板の座材に対するドッキング作業が極めて安定よく、かつスムーズに行なうこともできる。
【００２１】
さらに、筒状部の下面を開放させてあるので、筒状部の下面から指先などで爪片を押し戻して、爪片を透孔の縁との係止関係を容易に解除することができる。
【００２２】
このため、座板の取り外し及び座材の回収が可能になるため、胴体部の破損や損傷などにともなう回収した座材及び座板の再使用が可能になる。
【００２３】
そして、座材の突軸の突出長さが筒状部の突出長さよりも長くしてあるので、座板のドッキングの際、まず貫通孔に突軸が嵌入し、次いで貫孔に筒状部が貫通するガイドとして役目をし、この役目によって座板の安定したドッキング作業ができる。
【発明を実施するための最良の形態】
【００２４】
以下、この発明の実施の形態を添付図面に基づいて説明する。
【００２５】
この発明の第１の実施形態では、図１から図４に示すように、所定の形状に裁断した透明な合成樹脂の板材を角筒状に折り曲げて形成した筒体１と、この筒体１の長辺両下縁から連なって互いに内方に屈曲して設けた重なり合う突出壁２、２と、この両突出壁２、２の両端部に合致させて設けた貫孔３、３とで胴体部Ａを形成する。
【００２６】
上記胴体部Ａは、例えば音楽や映像を記録したＣＤ、ＤＶＤなどの記録媒体（ディスク）、ビデオテープ及び雑誌などの商品を収納した貸出しケースＫを上面の開口から挿入するもので、周囲四面の壁に形成され、隣接する二面の壁の切り離し縁（裁断にともなう）を重ね合わせて、重なり部分を、接着剤（材）や熱融着などで止着する。
【００２７】
また、胴体部Ａの下面開口から下面が開放した座材Ｂを嵌入する。
その際、座材Ｂの両端下縁から上向きに突出したフック１１を筒体１の両端辺の下縁に嵌めこんで、上述の嵌入した座材Ｂの筒体１内での停止位置決めをする。
【００２８】
上記の座材Ｂは、頂壁１２と、この頂壁１２の周囲四辺縁から連なって下方に突出する周壁１３との成形製品により構成され、各面の周壁１３を下縁に向う程広方に広がるように傾斜させて、傾斜にともなう周壁１３と筒体１の四面の壁との対向間際が筒体１の下縁から上方に向う程大きくなるようにしてある。この要因は、図２から図４に示すように筒体１内に落し込む周知の背表紙、表裏表紙からなり、貸出しケースＫ内の商品に見合う印刷の施してあるジャケットシートＳの下縁部が落ち込んで納まるようにする。
【００２９】
その際、筒体１の上縁（長辺の両上縁及び片方の短辺上縁から連なって筒体１）内に折り返してある折り返し片４によりジャケットシートＳの上縁部を抱き込んで、貸出しケースＫの抜き取りの際共にジャケットシートＳが引きぬかれないようにしてある。
【００３０】
Ｃは座材Ｂの下縁と上面とで両突出壁２、２を挟み込む座板である。
この座板Ｃの上面には、座板Ｃの下面を開放させて両突出壁２、２の合致する貫孔３、３に貫通させる上端が頂壁２１により閉鎖した筒状部２２が突出させてある。
【００３１】
そして、頂壁２１の中心には、上下面に貫通する透孔２３が設けてある。
上記の筒状部２２を有する座板Ｃは、合成樹脂の成形品によって形成されている。
【００３２】
また、座材Ｂには、頂壁１２の下面（裏面）から下向きに突出すると共に、嵌入にともない透孔２３の縁によって押し戻され、座材Ｂの下縁と座板Ｃの上面とによる両突出壁２、２の挟持下での嵌入終了にともない押し戻しが解除され透孔２３の下縁に係止関係になる爪片２４が設けてある。
【００３３】
上記爪片２４の押し戻し及び押し戻しの解除にともなう係止関係になる弾性は、合成樹脂の成形品によって発生するようにしたが、弾性のある別部品の取付けによって設けることもできる。
【００３４】
なお、貫孔３及び筒状部２２は、図示の場合四角形にしたが、限定されず、丸形などであってもよい。
【００３５】
上記のように構成すると、筒体１の下部内に座材Ｂを嵌入しながら、筒体１の対向する二辺の下縁にフック１１、１１を係合する。
【００３６】
次に両突出壁２を内方に交互に折り込んで、座材Ｂの下面に重ねる。
その後に合致している貫孔３、３に座板Ｃの筒状体２２を嵌入しながら、座材Ｂと座板Ｃとで突出壁２、２を挟持する。
【００３７】
その際、透孔２１に嵌入した爪片２４を押し戻し、押し戻しの解除された（突出壁２、２の挟持時点に爪片２４が透孔２１の下縁に係止関係になって、座材Ｂに座板Ｃのドッキングが終了する。
【００３８】
なお、胴体部Ａに挿入した貸出しケースＫは、筒体１内に納まる周壁１３の高さが上げ底になって、貸出しケースＫの上部が筒体１の上縁から上方に（図２から第４に示すように）突出して、この突出により貸出しケースＫの存在を知らせる（貸出し可能な旨を）。
【００３９】
この発明の第２の実施形態では、図１，３，４に示すように、両突出壁２、２に合致する貫通孔３１を設けて、この貫通孔３１に座板Ｃの上面から上方に向け突出する突軸３２を貫通させる。
【００４０】
その際、突軸３２の突出長さを、貫孔３、３に対する筒状部２２の嵌入よりも先行するようにする。
【００４１】
すると、座台Ｂに対する座板Ｃのドッキングにともない、まず貫通孔３１に突軸３２の先端部が嵌入（先行して）し、次いで貫孔３、３に筒状部２２が嵌入するため、筒状部２２の嵌入をガイドする。
【００４２】
なお、座材Ｂに対する座板Ｃのドッキング解除は、筒状部２２の開放している下面に指先を差し込んで爪片２４の先を押し戻して、爪片２４と透孔２１の下縁との係止関係を解除して行なう。
【図面の簡単な説明】
【００４３】
【図１】この発明の実施の形態を示す分解斜視図
【図２】組み立て時の側面図
【図３】同縦断側面図
【図４】同縦断正面図
【符号の説明】
【００４４】
Ａ      胴体部
Ｂ      座材
Ｃ      座板
Ｋ      貸出しケース
Ｓ      ジャケットシート
１      筒体
２      突出壁
３      貫孔
４      折り返し片
１１    フック
１２    頂壁
１３    周壁
２１    頂壁
２２    筒状部
２３    透孔
２４    爪片
３１    貫通孔
３２    突軸
【図１】
2008273551.tif 000003
【図２】
2008273551.tif 000004
【図３】
2008273551.tif 000005
【図４】
2008273551.tif 000006